(57)【特許請求の範囲】
【請求項１】
ソケット本体に、電気部品の端子に離接可能なコンタクトピンが配設されると共に、前記電気部品の上面を押さえるラッチ部材が前記ソケット本体に回動自在に配設され、又、前記ソケット本体に対して往復動可能に操作部材が配設され、該操作部材を移動させることにより、前記コンタクトピンを変位させると共に、前記ラッチ部材を回動させる電気部品用ソケットにおいて、
前記ラッチ部材の下端部を前記ソケット本体に回動自在に軸支すると共に、前記ラッチ部材の上端部に前記電気部品の上面に係止されるフック部を形成し、前記ラッチ部材の中間部に被押圧部を形成し、さらに前記ラッチ部材の前記フック部と前記被押圧部との間に被係止部を形成する一方、
前記電気部品を搭載する搭載部を前記操作部材に一体に成形し、この搭載部の外端部を前記ラッチ部材の前記被押圧部と前記被係止部との間に介在させ、前記操作部材の下降時に前記ラッチ部材の前記被押圧部を前記外端部の下面側で押圧して前記ラッチ部材を押し開くと共に、前記操作部材の最上昇位置で、前記外端部に上方に突出して形成されたロック部を前記被係止部に係止させて前記ラッチ部材の開く方向への回動を規制するように構成したことを特徴とする電気部品用ソケット。
【請求項２】
前記コンタクトピンには、バネ部の内側に前記電気部品端子に接触する接触部が形成され、更に、該接触部の内側に前記搭載部下面にて押圧される被押圧部が形成されたことを特徴とする請求項１記載の電気部品用ソケット。
【発明の詳細な説明】
【０００１】
【発明の属する技術分野】
この発明は、ＩＣパッケージや、ＩＣパッケージを保持したＩＣキャリア等を電気部品として着脱自在に保持する電気部品用ソケット、特に、その電気部品を押さえるラッチ部材が配設された電気部品用ソケットに関するものである。
【０００２】
【従来の技術】
従来から、この種の「電気部品用ソケット」としては、「電気部品」であるＩＣパッケージを保持したＩＣキャリアを着脱自在に保持するＩＣソケットがある。
【０００３】
このＩＣキャリアは、テープキャリア型ＩＣパッケージを保持しており、このＩＣパッケージの多数の端子から、テープ上に導電パターンが引き出されている。
【０００４】
また、ＩＣソケットには、ソケット本体にコンタクトピンが配設されると共に、前記ＩＣキャリアを押さえるラッチ部材がソケット本体に回動自在に配設され、更に、そのラッチ部材を回動させると共に、コンタクトピンを変位させる操作部材が上下動自在に配設されている。
【０００５】
そして、ＩＣキャリアを搭載しようとする時には、操作部材を下降させることにより、コンタクトピンを下方に押圧して、このコンタクトピンのＩＣパッケージの端子に接触する接触部を下方に変位させると共に、ラッチ部材を回動させて、ＩＣキャリア挿入範囲から待避させる。
【０００６】
この状態でＩＣキャリアをソケット本体の上側に搭載させた後、操作部材を上昇させて行くと、ラッチ部材が元の位置に戻って行き、ＩＣキャリアの上面に係止し、次いで、コンタクトピンも復帰して行くことにより、コンタクトピンの接触部がＩＣキャリア下面の端子に接触し、電気的に接続され、例えばバーンインテスト等の性能試験が行われるようになっている。
【０００７】
【発明が解決しようとする課題】
しかしながら、このような従来のものにあっては、ＩＣパッケージの端子とコンタクトピンの接触部が所定の接触圧で接触され、ＩＣキャリアがコンタクトピンの弾性力により、上方に付勢されているため、この付勢力がラッチ部材に作用し、このラッチ部材が逃げる方向に多少回動されてしまうおそれがある。かかる場合には、ＩＣパッケージの端子とコンタクトピンの接触部との接触圧力が減少してしまう。
【０００８】
また、ラッチ部材の逃げを防止すべく、このラッチ部材をＩＣキャリアに係止する方向に付勢するバネ力を強くする方法も考えられるが、この場合には、ラッチ部材を回動させる操作部材の作動力を大きくしなければならない、という問題が生じる。
【０００９】
そこで、この発明は、電気部品端子とコンタクトピンとの接触圧を確保すると共に、操作部材の作動力を小さくすることができる電気部品用ソケットを提供することを課題としている。
【００１０】
【課題を解決するための手段】
かかる課題を達成するために、請求項１に記載の発明は、ソケット本体に、電気部品の端子に離接可能なコンタクトピンが配設されると共に、前記電気部品の上面を押さえるラッチ部材が前記ソケット本体に回動自在に配設され、又、前記ソケット本体に対して往復動可能に操作部材が配設され、該操作部材を移動させることにより、前記コンタクトピンを変位させると共に、前記ラッチ部材を回動させる電気部品用ソケットにおいて、前記ラッチ部材の下端部を前記ソケット本体に回動自在に軸支すると共に、前記ラッチ部材の上端部に前記電気部品の上面に係止されるフック部を形成し、前記ラッチ部材の中間部に被押圧部を形成し、さらに前記ラッチ部材の前記フック部と前記被押圧部との間に被係止部を形成する一方、前記電気部品を搭載する搭載部を前記操作部材に一体に成形し、この搭載部の外端部を前記ラッチ部材の前記被押圧部と前記被係止部との間に介在させ、前記操作部材の下降時に前記ラッチ部材の前記被押圧部を前記外端部の下面側で押圧して前記ラッチ部材を押し開くと共に、前記操作部材の最上昇位置で、前記外端部に上方に突出して形成されたロック部を前記被係止部に係止させて前記ラッチ部材の開く方向への回動を規制するように構成した電気部品用ソケットとしたことを特徴とする。
【００１１】
請求項２に記載の発明は、請求項１に記載の構成に加え、前記コンタクトピンには、バネ部の内側に前記電気部品端子に接触する接触部が形成され、更に、該接触部の内側に前記搭載部下面にて押圧される被押圧部が形成されたことを特徴とする。
【００１２】
【発明の実施の形態】
以下、この発明の実施の形態について説明する。
【００１３】
図１乃至図６には、この発明の実施の形態を示す。
【００１４】
まず構成を説明すると、図中符号１１は、「電気部品用ソケット」としてのＩＣソケットで、このＩＣソケット１１は、ＩＣキャリア１２に保持された「電気部品」であるＩＣパッケージの性能試験を行うために、ＩＣパッケージの端子（図示省略）と、測定器（テスター）のプリント配線板（図示省略）との電気的接続を図るものである。
【００１５】
このＩＣキャリア１２は、テープキャリア型ＩＣパッケージを保持しており、図示していないが、このＩＣパッケージの多数の端子から、テープ上に導電パターンが引き出されている。
【００１６】
一方、ＩＣソケット１１は、大略すると、プリント配線板上に装着されるソケット本体１３を有し、このソケット本体１３には、前記ＩＣパッケージの端子に離接されるコンタクトピン１５が配設されると共に、ＩＣキャリア１２を押さえるラッチ部材１６が回動自在に設けられ、更に、このラッチ部材１６を回動させると共に、コンタクトピン１５を変位させる操作部材１８が配設されている。
【００１７】
そのコンタクトピン１５は、バネ性を有し、導電性に優れた板材がプレス加工により形成されている。
【００１８】
詳しくは、コンタクトピン１５は、主に図３に示すように、ベース部１５ａを有し、このベース部１５ａから下方に向けてリード部１５ｂが延長され、このリード部１５ｂが、ソケット本体１３に形成された圧入孔１３ａに挿入されて下方に突出されて図示省略のプリント配線板の各貫通孔に挿通されて半田付けされることにより接続されるようになっている。また、そのベース部１５ａから上側には、円弧形状のバネ部１５ｃが形成され、このバネ部１５ｃの内側に上方に突出する三角形状の接触部１５ｄが形成され、この接触部１５ｄから内側に向けて前記操作部材１８に押圧される「被押圧部」としての被押圧片１５ｅが形成されている。そして、その接触部１５ｄが前記ＩＣパッケージの端子に接触されるように構成されている。
【００１９】
また、ラッチ部材１６は、門型を呈し、この門型の一対の脚部の下端部１６ａが軸１９によりソケット本体１３に回動自在に取り付けられると共に、スプリング２０により内側に向けて付勢されている。しかも、このラッチ部材１６には、上端部に前記ＩＣキャリア１２の上面１２ａに係止されるフック部１６ｂが形成されると共に、中間部に前記操作部材１８に押圧される被押圧部１６ｃが形成されている。
【００２０】
さらに、前記操作部材１８は、図１に示すように、ＩＣキャリア１２が挿入可能な大きさの開口１８ｇを有し、この開口１８ｇを介してＩＣキャリア１２が挿入されて、この操作部材１８に一体成形された搭載部１８ａ上の所定位置に搭載されるようになっている。また、この操作部材１８は、ソケット本体１３に対して上下動（往復動）自在に配設され、図２に示すように、スプリング２１により上方に付勢されると共に、最上昇位置でソケット本体１３の被係止部１３ｂに係止する係止片１８ｂが形成されている。
【００２１】
さらにまた、この操作部材１８には、図３に示すように、前記コンタクトピン１５の被押圧片１５ｅを押圧する押圧部１８ｃが前記搭載部１８ａ下面に形成されると共に、操作部材１８の下降時に前記ラッチ部材１６の被押圧部１６ｃを押圧してラッチ部材１６を押し開く傾斜面部１８ｄが形成されている。
【００２２】
しかも、この操作部材１８には、「ロック部」としてのロック爪１８ｅが形成され、操作部材１８の最上昇位置で、このロック爪１８ｅが前記ラッチ部材１６に形成された「被係止部」としてのラッチロック用ボス１６ｄに係止して、ラッチ部材１６でＩＣキャリア１２を押圧した状態で、このラッチ部材１６の外側（開く方向）への回動が阻止されるように構成されている。図３乃至図６から明らかなように、ラッチロック用ボス１６ｄは、フック部１６ｂと被押圧部１６ｃとの間に形成されている。
【００２３】
操作部材１８の搭載部１８ａは、その外端部がラッチ部材１６の被押圧部１６ｃと被係止部１６ｄとの間に介在しており、この外端部の下面に傾斜面部１８ｄが形成され、外端部の上面にロック爪１８ｅが上方に突出する形で形成されている。なお、図１及び図３中符号１８ｆは、ＩＣキャリア１２を位置決めするガイドピンである。
【００２４】
次に、作用について説明する。
【００２５】
予め、プリント配線板上に配置された多数のＩＣソケット１１に、それぞれＩＣキャリア１２を自動機によりセットするには、まず、操作部材１８を下方に押し下げる。すると、この操作部材１８のロック爪１８ｅが下降して、ラッチ部材１６のラッチロック用ボス１６ｄとの図３に示すような係止状態が図４に示すように外れ、ラッチロック状態が解除される。
【００２６】
その後、図５に示すように、操作部材１８の押圧部１８ｃにより、コンタクトピン１５の被押圧片１５ｅが下方に向けて押されて、接触部１５ｄが下降されると共に、操作部材１８の外端部に形成された傾斜面部１８ｄにより、ラッチ部材１６の被押圧部１６ｃが押されて、このラッチ部材１６がスプリング２０の付勢力に抗して外側に向けて開き始める。そして、図６に示すように、フック部１６ｂがＩＣキャリア１２挿入範囲から待避された状態で、搭載部１８ａ上にＩＣキャリア１２が搭載される。
【００２７】
その後、操作部材１８への押圧力を解除すると、この操作部材１８がスプリング２１の付勢力により上昇することにより、ラッチ部材１６がスプリング２０の付勢力により内側（閉じる方向）に向けて回動し、更に、搭載部１８ａの上昇により、コンタクトピン１５の接触部１５ｄが上昇する。
【００２８】
そして、操作部材１８が図３に示す最上昇位置に達すると、ラッチ部材１６のフック部１６ｂがＩＣキャリア１２の上面１２ａに係止されると共に、ラッチ部材１６のラッチロック用ボス１６ｄに操作部材１８のロック爪１８ｅが係止する。
【００２９】
このラッチロック用ボス１６ｄとロック爪１８ｅとの係止により、ラッチ部材１６の開く方向への回動が規制される。
【００３０】
これにより、コンタクトピン１５のバネ部１５ｃによる弾性力が接触部１５ｄを介してＩＣキャリア１２に作用しても、ラッチ部材１６の開きが規制され、いわゆる逃げを防止できるため、ＩＣキャリア１２が浮上り、接触圧が低減するのを防止することができる。
【００３１】
従って、ラッチ部材１６の逃げを防止すべく、このラッチ部材１６のスプリング２０のバネ力を強くする必要がないため、このラッチ部材１６を回動させる操作部材１８の作動力を大きくする必要がなく、操作力も小さくできる。
【００３２】
なお、上記実施の形態では、「電気部品用ソケット」としてＩＣソケット１１に、この発明を適用したが、これに限らず、他の装置にも適用できることは勿論である。また、「電気部品」としてフラット型ＩＣパッケージが保持されたＩＣキャリア１２を用いて説明したが、これに限定されるものでなく、キャリアに保持されていないＩＣパッケージのＩＣソケットにこの発明を適用できることは勿論である。
【００３３】
【発明の効果】
以上説明してきたように、各請求項に記載の発明によれば、電気部品を押さえるラッチ部材の下端部を前記ソケット本体に回動自在に軸支すると共に、前記ラッチ部材の上端部に前記電気部品の上面に係止されるフック部を形成し、前記ラッチ部材の中間部に被押圧部を形成し、さらに前記ラッチ部材の前記フック部と前記被押圧部との間に被係止部を形成する一方、前記電気部品を搭載する搭載部を操作部材に一体に成形し、この搭載部の外端部を前記ラッチ部材の前記被押圧部と前記被係止部との間に介在させ、前記操作部材の下降時に前記ラッチ部材の前記被押圧部を前記外端部の下面側で押圧して前記ラッチ部材を押し開くと共に、前記操作部材の最上昇位置で、前記外端部に上方に突出して形成されたロック部を前記被係止部に係止させて前記ラッチ部材の開く方向への回動を規制するように構成した電気部品用ソケットとしたため、コンタクトピンの弾性力が電気部品に作用しても、ラッチ部材の開きが規制されていることから、電気部品が浮上り、接触圧が低減するのを防止することができる。
【００３４】
従って、ラッチ部材の逃げを防止すべく、このラッチ部材のスプリングのバネ力を強くする必要がないため、このラッチ部材を回動させる操作部材の作動力を大きくする必要がなく、操作力も小さくできる。
【図面の簡単な説明】
【図１】この発明の実施の形態に係るＩＣソケットの平面図である。
【図２】同実施の形態に係るＩＣソケットの半断面した正面図である。
【図３】同実施の形態に係るＩＣソケットの、操作部材が最上昇位置にある断面図である。
【図４】同実施の形態に係るＩＣソケットの、操作部材が図３より下降された状態を示す図３に相当する断面図である。
【図５】同実施の形態に係るＩＣソケットの、操作部材が図４より下降された状態を示す図４に相当する断面図である。
【図６】同実施の形態に係るＩＣソケットの、操作部材が図５より下降された最下降状態を示す図５に相当する断面図である。
【符号の説明】
11  ＩＣソケット（電気部品用ソケット）
12  ＩＣキャリア（電気部品）
13  ソケット本体
15  コンタクトピン
15c バネ部
15d 接触部
15e 被押圧片
16  ラッチ部材
16b フック部
16c 被押圧部
16d ラッチロック用ボス（被係止部）
18  操作部材
18a 搭載部
18c 押圧部
18d 傾斜面部
18e ロック爪（ロック部）
【図１】
0004326632.tif 000002
【図２】
0004326632.tif 000003
【図３】
0004326632.tif 000004
【図４】
0004326632.tif 000005
【図５】
0004326632.tif 000006
【図６】
0004326632.tif 000007